(57)【特許請求の範囲】
【請求項１】
容器(１)の口頸部(３)下端部内から起立する下方小径のテーパ状周壁(５)上端部から外向きフランジ(１０)を介して口頸部(３)の上部内面へ嵌合させて嵌合筒(１１)を垂下すると共に、上記周壁(５)に複数の割溝(８ａ)を縦設し、
かつ該割溝直下の周壁底板(６)外周部分から前記口頸部(３)内面に達しない長さの第１液飛出し防止板(９)を径方向へ突設して、容器を傾倒させることにより該第１飛出し防止板(９)先端と口頸部(３)内面との間隔および隣接する第１液飛出し防止板(９)間の間隔を通って内容液が割溝(８ａ)から周壁(５)内へ流入することにより注出可能に設けたことを特徴とする容器の中栓。
【請求項２】
隣接する第１液飛出し防止板(９)間の底板(６)外周部分から第２液飛出し防止板(９ａ)を径方向へ突設したことを特徴とする請求項１記載の容器の中栓。
【発明の詳細な説明】
【０００１】
【発明の属する技術分野】
本発明は、化粧液等を収納する容器の口頸部内面へ嵌合させる中栓に関する。
【０００２】
【従来の技術】
スキンミルクなど化粧液等を収納する容器として、例えば、図４に示すように、胴部ａの上端部から肩部を介して口頸部ｂを起立し、該口頸部の上部内面へ内向きフランジ状頂板ｃ付き嵌合筒ｄからなる中栓ｅを嵌合させたペットボトル容器等が知られている。
しかし、このような容器では、使用後、テーブル等の上に容器を置く際にスキンミルク等の内容液が中栓から飛び出すという欠点があった。
そこで、図５に示すように、中栓の嵌合筒頂板ｃの内周から下方小径のテーパ状周壁ｆを垂設して、該周壁下面を閉塞させると共に、周壁ｆに液流入用の複数の割溝ｇを縦設することで液飛び出し防止を図ることが提案されている。
【０００３】
【発明が解決しようとする課題】
上記従来例では、周壁ｆを垂設して、その下面を閉塞させたため、液飛び出し量が減少したが、割溝ｇからの飛び出しは防止することができず、液飛び出し防止という観点からはいまだ不十分であった。
【０００４】
本発明は、液飛び出し防止板を設けることにより、容器からの液飛び出し量の一層の低減化を図ることを目的とする。
【０００５】
【課題を解決するための手段】
第１の手段として、容器１の口頸部３下端部内から起立する下方小径のテーパ状周壁５上端部から外向きフランジ１０を介して口頸部３の上部内面へ嵌合させて嵌合筒１１を垂下すると共に、上記周壁５に複数の割溝８ａを縦設し、
かつ該割溝直下の周壁底板６外周部分から前記口頸部３内面に達しない長さの第１液飛出し防止板９を径方向へ突設して、容器を傾倒させることにより該第１飛出し防止板９先端と口頸部３内面との間隔および隣接する第１液飛出し防止板９間の間隔を通って内容液が割溝８ａから周壁５内へ流入することにより注出可能に設けた。
【０００６】
第２の手段として、隣接する第１液飛出し防止板９間の底板６外周部分から第２液飛出し防止板９ａを径方向へ突設した。
【０００８】
【発明の実施の形態】
図１において、１は本発明に係る中栓を装着させる容器の一例を示すもので、胴部２の上端部から肩部を介して口頸部３を起立する。
４は中栓で、周壁５の下面を底板６で閉塞すると共に、周壁５の上部外面を、容器の口頸部３の上端部内面へ嵌合可能な大外径部７に形成すると共に、周壁５に液流出窓８を形成し、かつ底板６に液飛出し防止板９を付設する。なお、図４に示すように、周壁５の上部は口頸部３の上端部外面へ嵌合可能な大外径部７ａに形成にすることも可能である。
【０００９】
大外径部７は周壁５上端に付設した外向きフランジ１０の外周部下面から口頸部３内面へ嵌合可能な嵌合筒１１を垂設することによって形成するのが好ましい。なお、図４の場合には、外向きフランジ１０外周から口頸部外面へ嵌合可能な嵌合筒１２ａを垂設する。
【００１０】
一方、液流出窓８は、周壁５に縦設した複数の割溝８ａで形成し、また、液飛出し防止板９は割溝下方の底板６外周部分から径方向へ突設させるのが好ましい。さらに、図５に示すように、隣接する第１液飛出し防止板９間の底板６外周部分から第２液飛出し防止板９ａを径方向へ突設するのがより好ましい。
【００１１】
【実施例】
中栓４を装着させる容器１は、図１に示すように、胴部２の上端部から肩部を介して口頸部３を起立する。中栓４は、口頸部３の下端部内から起立する下方小径のテーパ状有底周壁５の上端部に付設した外向きフランジ１０の外周部下面から口頸部３の上部内面へ嵌合させて嵌合筒１１を垂設する。また、周壁５に複数の割溝８ａを縦設すると共に、割溝直下の底板６外周部分から液飛出し防止板９を径方向へ突設する。
【００１２】
周壁５の高さは口頸部３とほぼ同一の高さとし、また、割溝８ａは周壁の上下全長にわたって形成する。一方、液飛出し防止板９は割溝よりも幅を大に形成する。なお、液飛出し防止板９は、通常は図２ないし図５に明示するように底板６外周から突設する複数の矩形状板で形成するが、これに限らず底板６外周から突設する外向きフランジ状板で形成することも可能である。また、必要があれば該フランジ状板に、割溝８ａを除く周壁部分に対応させて液流出用孔を形成することも可能である。なお、図３に示すように、液飛出し防止板９は平板状に限らず下方へ凸の湾曲状に形成することも可能である。
【００１３】
次に作用について説明する。
使用に際して容器を傾けると、スキンクリーム等の内容液が液飛出し防止板９間の間隔ないし液飛出し防止板９と口頸部３内面との間隔を通って割溝８ａから周壁５内へ流入して容器外へ注出される。
一方、使用後、容器をテーブル等の上に置く際に、容器内ではね上がった内容液の大部分は液飛出し防止板９によって上昇を妨げられるため、割溝から周壁５内へ流入することができない。
【００１４】
【発明の効果】
本発明は、液飛出し防止板を設けたので、容器をテーブル等の上においた際に、内容液が容器内ではね上がっても大部分は液飛出し防止板にぶつかって上昇を妨げられるため、容器からの液飛出し量をより一層減少させることができる。
【００１５】
また、本発明は、隣接する液飛出し防止板間に第２の液飛出し防止板を設けたので、特に内容液の粘性が小さい場合の飛出しを有効に防止することができる。
【図面の簡単な説明】
【図１】本発明に係る中栓の一部を示す縦断面図である。
【図２】同じく、中栓の斜視図である。
【図３】同じく、中栓の変形例を示す図１相当図である。
【図４】同じく、中栓の変形例を示す図１相当図である。
【図５】同じく、第２の液飛出し防止板を示す略示図である。
【図６】従来例の半断面図である。
【図７】同じく、従来例の半断面図である。
【符号の説明】
１  容器                                ２  胴部
３  口頸部                              ４  中栓
５  周壁                                ６  底板
７、７ａ  大外径部                      ８  液流入窓
８ａ  割溝                              ９  液飛出し防止板
１０  外向きフランジ                    １１、１２ａ  嵌合筒
【図１】
0004386232.tif 000002
【図２】
0004386232.tif 000003
【図３】
0004386232.tif 000004
【図４】
0004386232.tif 000005
【図５】
0004386232.tif 000006
【図６】
0004386232.tif 000007
【図７】
0004386232.tif 000008